(57)【要約】      （修正有）【課題】ベッドに寝たきりの人が、自分でリモコン操作により電動で身体全体を左右に寝返りを打たせることのできる介護用ベッドを提供する。【解決手段】ベッド全体を４つに分け、寝ている人の身体を右側に寝返りを打たせる場合は、４つに分けたベッドの片方の側面１，２を右側に倒す（立てる）ことにより、身体全体が右向きになる。また、身体を左側に寝返りを打たせる場合は、４つに分けたベッドのもう片方の側面３，４を左側に倒す（立てる）ことにより、身体全体が左向きになる。このように、ベッド全体を４分割することで電動リモコン操作機械を使って、身体全体の左右の寝返りを可能にすることができる。【選択図】図１
0003147789.tif 000002
【実用新案登録請求の範囲】
【請求項１】
身体の自由がきかず、仰向けに寝たきりの人が、現在、ベッドをリモコン操作により電動で動かせるものは、身体の上半身を起き上がらせたりベッドに寝かせたりするものはあるが、身体全体を左右に寝返りを打たせることのできるベッドがまだ無い。
そこで、ベッドに寝たきりの人が、自分でリモコン操作により電動で身体全体を左右に寝返りを打たせることのできるベッドを考えた。
0003147789.tif 000003
〔図１〕はベッドの頭部側から足部側までを２分割し、幅を２等分してベッド全体を４つに分けたもので、ベッドを正面上から見た図である。
ベッドに寝ている人の身体を右側に寝返りを打たせるには、４つに分けたベッドの（１）と（２）を、〔図３〕のように右側（こちら側）に３０度から９０度に倒す（立てる）ことによって、身体を右向き（こちら側）にできる。
ベッドに寝ている人の身体を左側に寝返りを打たせるには、４つに分けたベッドの（３）と（４）を〔図４〕のように左側（向こう側）に３０度から９０度に倒す（立てる）ことによって、身体を左向き（向こう側）にできる。
上半身を起き上がらせたり寝かせたりする電動のリモコン操作機械は現在実用化されているが、身体全体を左右に寝返りを打たせることのできるベッドがまだ無いので、ベッドを４分割することにより、電動リモコン操作機械を使って身体全体の左右の寝返りを可能にすることができる。
ベッドの材質は、金属類、プラスチック類、木材等とする。
【考案の詳細な説明】
【技術の分野】
０００１
本考案は、ベッドに寝たきりの人が、自分でリモコン操作により電動で寝返りを打つことができるようにしたものである。
【背景技術】  ０００２
従来は、ベッドに上半身を起き上がらせたり寝かせたりできるものはあったが、身体全体を左右に寝返りを打つことのできるものは無かった。
【考案の開示】
【考案が解決しようとする課題】  ０００３
仰向けのまま長時間寝ているのは大変苦痛であるし、臀部（おしり）や足のかかとに床ずれができたりして一層つらいことになる。本考案は、この課題を解消するためになされたものである。
【課題を解決するための手段】  ０００４
ベッド全体を４つの部分に分け〔図１〕、仰向けに寝ている身体を右向きに寝返りを打つ場合はベッドの（１）と（２）を、〔図３〕のように右側に立てる。身体を左向きに寝返りを打つ場合はベッドの（３）と（４）を、〔図４〕のように左側に立てる。
【考案の効果】  ０００５
病人自身は勿論のこと、介護者にとってもリモコン操作により電動で寝返りを打つことができたら負担が軽減される。病人の身体を清拭する際や布団のシーツ交換の際も、効率良く行うことができる。これからますます高齢化が進むわが国にとって、必要なベッドであると思われる。
【考案を実施するための最良の形態】  ０００６
ベッドの頭部から足部になる部分を２分割し、左右（幅）を２等分することにより、ベッド全体を４つに分ける。〔図１〕
ベッドを４分割することにより、寝たきりの人がリモコン操作により電動で左右に寝返りを打つことができることになる。
現在、上半身を起き上がらせたり寝かせたりする電動のリモコン操作機械は実用化されているが、身体全体を左右に寝返りを打たせるベッドがまだ無いので、ベッドを４分割することにより、電動リモコン操作機械を使って、身体全体の左右の寝返りを可能にする。
【図面の簡単な説明】  ０００７
【図１】ベッドを正面上から見た図である。ベッド全体を（１）（２）（３）（４）の４分割にする。（１）（３）は頭部側、（２）（４）は足部側になる。ベッド本体の大きさは幅約１２０ｃｍ、長さ約２１０ｃｍとする。ベッドの材質は、金属類、プラスチック類、木材等とする。
【図２】ベッドを斜め横から見た図である。
【図３】ベッドに寝ている身体をベッドの右側（右向き）に倒す場合の図である。図１の（１）と（２）のベッドを３０度から９０度の角度に倒す（立てる）。これをリモコン操作により電動で行う。
【図４】ベッドに寝ている身体をベッドの左側（左向き）に倒す場合の図である。図１の（３）と（４）のベッドを３０度から９０度の角度に倒す（立てる）。これをリモコン操作により電動で行う。
【図５】上半身をベッドから起き上がらせる場合の図である。図１の（１）と（３）のベッドを３０度から９０度の角度に倒す（立てる）。これをリモコン操作により電動で行う。現在、上半身だけベッドから起き上がらせたり寝かせたりするベッドはある。
【図１】
0003147789.tif 000004
【図２】
0003147789.tif 000005
【図３】
0003147789.tif 000006
【図４】
0003147789.tif 000007
【図５】
0003147789.tif 000008
【手続補正書】
【提出日】平成20年10月27日(2008.10.27)
【手続補正２】
【補正対象書類名】実用新案登録請求の範囲
【補正対象項目名】全文
【補正方法】変更
【補正の内容】
【実用新案登録請求の範囲】
【請求項１】
外枠内に配置された床板を備えた介護用ベッドにおいて、前記床板は、前記外枠の長手方向に２分割されると共に、前記長手方向と交差する幅方向の中心で２分割された４つの矩形状の分割片（１、２、３、４）を有しており、前記長手方向の一側の２つの分割片（１、３）が前記幅方向の中心を回動中心として他側の２つの分割片（２、４）に対して略水平から略垂直までの範囲で一体に回動可能に構成されており、かつ、前記幅方向の一側の２つの分割片（１、２）および他側の２つの分割片（３、４）が前記長手方向に２分割された位置を回動中心としてそれぞれ略水平に位置付けられた前記他側および一側の２つの分割片に対して略水平から略垂直までの範囲で一体に回動可能に構成されており、前記各分割片がリモコン操作により電動で回動するように構成されたことを特徴とする介護用ベッド。
【請求項２】
前記長手方向の一側の２つの分割片（１、３）の長手方向での長さが前記長手方向の他側の２つの分割片（２、４）の長手方向での長さより短いことを特徴とする請求項１に記載の介護用ベッド。
【請求項３】
前記分割片は、材質が金属類、プラスチック類ないし木材であることを特徴とする請求項１に記載の介護用ベッド。
【手続補正３】
【補正対象書類名】明細書
【補正対象項目名】０００５
【補正方法】変更
【補正の内容】
【０００５】
病人自身は勿論のこと、介護者にとってもリモコン操作により電動で寝返りを打つことができたら負担が軽減されると共に、病人の身体を清拭する際や布団のシーツ交換の際も、効率よく行うことができ、これからますます高齢化が進む我が国にとって、必要なベッドであると思われる。
【手続補正４】
【補正対象書類名】明細書
【補正対象項目名】０００６
【補正方法】変更
【補正の内容】
【０００６】
ベッドの頭部から足部になる部分を２分割し、左右（幅）を２等分することにより、ベッド全体を４つに分ける。［図１］
ベッドを４分割することにより、寝たきりの人がリモコン操作により電動で左右に寝返りを打つことができることになる。
現在、上半身を起きあがらせたり寝かせたりする電動のリモコン操作機械は実用化されているが、身体全体を左右に寝返りを打たせるベッドがまだ無いので、ベッドを４分割することにより、電動リモコン操作機械を使って、身体全体の左右の寝返りを可能にする。
すなわち、身体の自由がきかず、仰向けに寝たきりの人が、現在、ベッドをリモコン操作により電動で動かせるものは、身体の上半身を起きあがらせたりベッドに寝かせたりするものはあるが、身体全体を左右に寝返りを打たせることのできるベッドがまだ無い。
そこで、ベッドに寝たきりの人が、自分でリモコン操作により電動で身体全体を左右に寝返りを打たせることのできるベッドを考えた。
［図１］は、ベッドの頭部側から足部側までを２分割し、幅を２等分してベッド全体を４つに分けたもので、ベッドを正面上から見た図である。
ベッドに寝ている人の身体を右側に寝返りを打たせるには、４つに分けたベッドの（１）と（２）を、［図３］のように右側（こちら側）に３０度から９０度に倒す（たてる）ことによって、身体を右向き（こちら側）にできる。
ベッドに寝ている人の身体を左側に寝返りを打たせるには、４つに分けたベッドの（３）と（４）を［図４］のように左側（向こう側）に３０度から９０度に倒す（立てる）ことによって、身体を左向き（向こう側）にできる。
上半身を起きあがらせたり寝かせたりする電動のリモコン操作機械は現在実用化されているが、身体全体を左右に寝返りを打たせることのできるベッドがまだ無いので、ベッドを４分割することにより、電動リモコン操作機械を使って身体全体の左右の寝返りを可能にすることができる。
ベッドの材質は、金属類、プラスチック類、木材等とする。